(57)【特許請求の範囲】
【請求項１】
動力で駆動されるスライドドアが、ドアオープニングに嵌まり込んだ状態で閉じ、ドアオープニングから出た状態で開くパワースライドドアであって、
前記スライドドアの現在位置を検知する位置検知手段と、
前記現在位置の変化に基づいて前記スライドドアの作動方向を判定する方向判定手段と、
前記ドアオープニングの内周への異物の接触を検知する接触センサと、
前記接触センサの検知信号に基づいて異物の接触位置を判定する位置判定手段と、
前記現在位置、前記作動方向および前記接触位置の組合せに基づいて、前記スライドドアの作動の継続、停止または方向反転のいずれかを行わせる制御手段
を具備することを特徴とするパワースライドドア。
【請求項２】
前記制御手段は、
開方向への前記スライドドアの作動時に、
前記スライドドアの全ての現在位置において、
閉方向への前記スライドドアの進行方向から見て、前記接触位置が前記ドアオープニングの前側の内周であるときは前記スライドドアの作動を継続させ、前記接触位置が前記ドアオープニングの後側の内周であるときは前記スライドドアの作動を停止または反転させる
ことを特徴とする請求項１に記載のパワースライドドア。
【請求項３】
前記制御手段は、
閉方向への前記スライドドアの作動時に、
前記スライドドアが前記ドアオープニングと平行に移動する位置にある状態では、
閉方向への前記スライドドアの進行方向から見て、前記接触位置が前記ドアオープニングの前側の内周であるときは前記スライドドアの作動を停止または反転させ、前記接触位置が前記ドアオープニングの後側の内周であるときは前記スライドドアの作動を継続させる
ことを特徴とする請求項１または請求項２に記載のパワースライドドア。
【請求項４】
前記制御手段は、
開方向への前記スライドドアの作動時の前記スライドドアの全ての現在位置において、または、閉方向への前記スライドドアの作動時に前記スライドドアが前記ドアオープニングと平行に移動する位置にある状態において、前記接触位置が前記ドアオープニングの上側の内周であるときは前記スライドドアの作動を継続させる
ことを特徴とする請求項２または請求項３に記載のパワースライドドア。
【請求項５】
前記接触センサは、前記ドアオープニングの内周に沿って連続的に設けられる
ことを特徴とする請求項１に記載のパワースライドドア。
【請求項６】
前記接触センサは、閉方向への前記スライドドアの進行方向から見て、前記ドアオープニングの内周の前側と後側に分離して設けられる
ことを特徴とする請求項１に記載のパワースライドドア。
【請求項７】
前記接触センサは、前記ドアオープニングの内周に沿って設けられたウェザーストリップと一体である
ことを特徴とする請求項５または請求項６に記載のパワースライドドア。
【発明の詳細な説明】
【技術分野】
【０００１】
本発明は、パワースライドドアに関し、特に、動力で駆動されるスライドドアが、ドアオープニングに嵌まり込んだ状態で閉じ、ドアオープニングから出た状態で開くパワースライドドアに関する。
【背景技術】
【０００２】
ワンボックス型やミニバン型の車両では、後部のサイドドアを、モータ等の動力で駆動されるパワースライドドアとすることが多い。スライドドアは、閉じきり状態ではドアオープニングに嵌まり込み、ドアの外面とボデーの外面の間に段差ができないようになっている。閉じきり状態から開くときは、スライドドアをドアオープニングから外側に押出した状態で、ボデーの外面に沿ってスライドさせる（例えば、特許文献１参照）。
【０００３】
パワースライドドアについては、挟込防止機能が付与される。すなわち、スライドドア本体に設けられたセンサ、あるいは、スライドドアの開閉時の速度変化を利用して挟み込みを検知し、スライドドアを停止または反転させるようにしている（例えば、特許文献２，３参照）。
【特許文献１】特開２００４−３２２７２５号公報（段落番号００１５−００１７、００３２−００３４、図１，２，５）
【特許文献２】特開平１１−１８２１３６号公報（段落番号００２９−００３５、図１，１０）
【特許文献３】特開平２０００−０１６０９３１号公報（段落番号００３７−００５２、図７−９）
【発明の開示】
【発明が解決しようとする課題】
【０００４】
パワースライドドアでは、ドアオープニングへのスライドドアの出し入れに伴い、室内側で、ドアトリムとドアオープニングの内周による挟み込みや巻き込みが発生し得る。挟み込みは、閉じきり間際のドアトリムとドアオープニングの内周のフランジの間で発生し、巻き込みは、開き始めのドアトリムとドアオープニングの内周のフランジの間で発生する。
【０００５】
このような挟み込みや巻き込みを、スライドドア本体に設けられたセンサあるいはスライドドアの速度変化によって検知することは困難である。なぜなら、スライドドア本体のセンサは、ドアトリムとドアオープニングの内周による挟み込みや巻き込みは検知できず、また、スライドドアの速度変化に基づく検知は、ドアオープニングへのスライドドアの出し入れに伴う速度変化は検知の対象外としているからである。
【０００６】
また、挟み込み検知にスライドドア本体のセンサあるいはスライドドアの速度変化を利用するときは、誤検知によるスライドドアの不要な停止あるいは反転が生じやすく、スライドドアの作動が円滑でない。
【０００７】
そこで、本発明の課題は、室内側での挟み込み等の防止の確実性と作動の円滑性が両立するパワースライドドアを実現することである。
【課題を解決するための手段】
【０００８】
課題を解決するための請求項１に係る発明は、動力で駆動されるスライドドアが、ドアオープニングに嵌まり込んだ状態で閉じ、ドアオープニングから出た状態で開くパワースライドドアであって、前記スライドドアの現在位置を検知する位置検知手段と、前記現在位置の変化に基づいて前記スライドドアの作動方向を判定する方向判定手段と、前記ドアオープニングの内周への異物の接触を検知する接触センサと、前記接触センサの検知信号に基づいて異物の接触位置を判定する位置判定手段と、前記現在位置、前記作動方向および前記接触位置の組合せに基づいて、前記スライドドアの作動の継続、停止または方向反転のいずれかを行わせる制御手段を具備することを特徴とするパワースライドドアである。
【０００９】
課題を解決するための請求項２に係る発明は、前記制御手段は、開方向への前記スライドドアの作動時に、前記スライドドアの全ての現在位置において、閉方向への前記スライドドアの進行方向から見て、前記接触位置が前記ドアオープニングの前側の内周であるときは前記スライドドアの作動を継続させ、前記接触位置が前記ドアオープニングの後側の内周であるときは前記スライドドアの作動を停止または反転させることを特徴とする請求項１に記載のパワースライドドアである。
【００１０】
課題を解決するための請求項３に係る発明は、前記制御手段は、閉方向への前記スライドドアの作動時に、前記スライドドアが前記ドアオープニングと平行に移動する位置にある状態では、閉方向への前記スライドドアの進行方向から見て、前記接触位置が前記ドアオープニングの前側の内周であるときは前記スライドドアの作動を停止または反転させ、前記接触位置が前記ドアオープニングの後側の内周であるときは前記スライドドアの作動を継続させることを特徴とする請求項１または請求項２に記載のパワースライドドアである。
【００１１】
課題を解決するための請求項４に係る発明は、前記制御手段は、開方向への前記スライドドアの作動時の前記スライドドアの全ての現在位置において、または、閉方向への前記スライドドアの作動時に前記スライドドアが前記ドアオープニングと平行に移動する位置にある状態において、前記接触位置が前記ドアオープニングの上側の内周であるときは前記スライドドアの作動を継続させることを特徴とする請求項２または請求項３に記載のパワースライドドアである。
【００１２】
課題を解決するための請求項５に係る発明は、前記接触センサは、前記ドアオープニングの内周に沿って連続的に設けられることを特徴とする請求項１に記載のパワースライドドアである。
【００１３】
課題を解決するための請求項６に係る発明は、前記接触センサは、閉方向への前記スライドドアの進行方向から見て、前記ドアオープニングの内周の前側と後側に分離して設けられることを特徴とする請求項１に記載のパワースライドドアである。
【００１４】
課題を解決するための請求項７に係る発明は、前記接触センサは、前記ドアオープニングの内周に沿って設けられたウェザーストリップと一体であることを特徴とする請求項５または請求項６に記載のパワースライドドアである。
【発明の効果】
【００１５】
請求項１に係る発明によれば、動力で駆動されるスライドドアが、ドアオープニングに嵌まり込んだ状態で閉じ、ドアオープニングから出た状態で開くパワースライドドアは、前記スライドドアの現在位置を検知する位置検知手段と、前記現在位置の変化に基づいて前記スライドドアの作動方向を判定する方向判定手段と、前記ドアオープニングの内周への異物の接触を検知する接触センサと、前記接触センサの検知信号に基づいて異物の接触位置を判定する位置判定手段と、前記現在位置、前記作動方向および前記接触位置の組合せに基づいて、前記スライドドアの作動の継続、停止または方向反転のいずれかを行わせる制御手段を具備するので、室内側での挟み込み等の防止の確実性と作動の円滑性が両立するパワースライドドアを実現することができる。
【００１６】
請求項２に係る発明によれば、前記制御手段は、開方向への前記スライドドアの作動時に、前記スライドドアの全ての現在位置において、閉方向への前記スライドドアの進行方向から見て、前記接触位置が前記ドアオープニングの前側の内周であるときは前記スライドドアの作動を継続させ、前記接触位置が前記ドアオープニングの後側の内周であるときは前記スライドドアの作動を停止または反転させるので、スライドドアの開方向への作動時の、室内側での挟み込み等の防止の確実性と作動の円滑性を両立させることができる。
【００１７】
請求項３に係る発明によれば、前記制御手段は、閉方向への前記スライドドアの作動時に、前記スライドドアが前記ドアオープニングと平行に移動する位置にある状態では、閉方向への前記スライドドアの進行方向から見て、前記接触位置が前記ドアオープニングの前側の内周であるときは前記スライドドアの作動を停止または反転させ、前記接触位置が前記ドアオープニングの後側の内周であるときは前記スライドドアの作動を継続させるので、スライドドアの閉方向への作動時の、室内側での挟み込み等の防止の確実性と作動の円滑性を両立させることができる。
【００１８】
請求項４に係る発明によれば、前記制御手段は、開方向への前記スライドドアの作動時の前記スライドドアの全ての現在位置において、または、閉方向への前記スライドドアの作動時に前記スライドドアが前記ドアオープニングと平行に移動する位置にある状態において、前記接触位置が前記ドアオープニングの上側の内周であるときは前記スライドドアの作動を継続させる。
【００２０】
請求項５に係る発明によれば、前記接触センサは、前記ドアオープニングの内周に沿って連続的に設けられるので、ドアオープニングの内周への異物の接触を漏れなく検知することができる。
【００２１】
請求項６に係る発明によれば、前記接触センサは、閉方向への前記スライドドアの進行方向から見て、前記ドアオープニングの内周の前側と後側に分離して設けられるので、ドアオープニングの内周への異物の接触を、前側への接触と後側への接触を別々に検知することができる。
【００２２】
請求項７に係る発明によれば、前記接触センサは、前記ドアオープニングの内周に沿って設けられたウェザーストリップと一体であるので、ドアオープニングの内周への取り付け行程を簡素化することができる。
【発明を実施するための最良の形態】
【００２３】
以下、図面を参照して発明を実施するための最良の形態を詳細に説明する。なお、本発明は、発明を実施するための最良の形態に限定されるものではない。
図１に、パワースライドドアを装備した車両の左側の外観を模式的に示す。図１に示すように、車両１００は、パワースライドドア２００を装備している。パワースライドドア２００は、発明を実施するための最良の形態の一例である。パワースライドドア２００の構成によって、パワースライドドアに関する発明を実施するための最良の形態の一例が示される。以下、パワースライドドアを、単にスライドドアともいう。
【００２４】
スライドドア２００の上部、下部および後部は、車両１００のボデー１１０の上部、下部および後部に設けられたガイドレール１１２，１１４，１１６にそれぞれ係合する。スライドドア２００は、ガイドレール１１２，１１４，１１６に沿った後方への往復的なスライド運動により、ボデー１１０の側面のドアオープニングを開閉する。スライドドア２００の開閉は、モータ等の動力源を有する周知の開閉機構によって行われる。
【００２５】
図２に、スライドドアとドアオープニングの構成を模式的に示す。図２は、図１に示した車両１００のＡＡ断面図に相当する。図２では、上が室外、下が室内、左が前方、右が後方である。以下、同様である。
【００２６】
図２に示すように、スライドドア２００は、ボデー１１０のドアオープニング３００に嵌まり込んだ状態で閉じきる。この状態では、スライドドア２００の外面は、ボデー１１０の外面に対して段差がなく、いわゆる面一（つらいち）となる。また、スライドドア２００の内面のドアトリム２０２も、ボデー１１０の内面に対して面一となる。以下、ドアオープニングを、単にオープニングともいう。
【００２７】
スライドドア２００の後部は、オープニング３００内で、係合部材２０４を介してガイドレール１１６に係合する。係合部材２０４は、スライドドア２００側がヒンジとなっておりガイドレール１１６側がローラとなっている。ガイドレール１１６は、ボデー１１０の外面からオープニング３００内に斜めに入り込んでおり、係合部材２０４のローラは、ガイドレール１１６の斜め部の終端付近に位置する。以下、ガイドレールを単にレールともいう。
【００２８】
スライドドア２００の前部は、オープニング３００内で、ボス２０６によりソケット１１８に係合する。ソケット１１８は、オープニング３００内で、ボデー１１０のセンタピラー１２０の後面に設けられる。
【００２９】
オープニング３００の内周は、室内側がオープニングフランジ３０２となっている。オープニングフランジ３０２の先端部には、ウェザストリップ４００が設けられる。以下、オープニングフランジを、単にフランジともいう。
【００３０】
図３に、ウェザストリップ４００の詳細な構成を模式的に示す。ウェザストリップ４００は、紙面に垂直な方向に延在する。図３に示すように、ウェザストリップ４００は、取付部材４０２、シール部材４０４および接触センサ４１０からなる。取付部材４０２は、ウェザストリップ４００全体をフランジ３０２の先端部に取り付ける。
【００３１】
シール部材４０４は、取付部材４０２の外向きの面に設けられる。シール部材４０４は、チューブ状の中空の可撓体であり、スライドドア２００を閉じきったとき、図２に示したように、スライドドア２００のパネル部分に密着し、かつ、少しつぶれて隙間をシールする。取付部材４０２とシール部材４０４は、非導電性の材料で構成される。非導電性の材料としては、例えば、ゴムやプラスチック等が用いられる。
【００３２】
接触センサ４１０は、取付部材４０２の先端に設けられる。接触センサ４１０は、取付部材４０２の先端に固定された第１素子４１２と、第１素子４１２を囲繞するように取付部材４０２の先端に固定された第２素子４１４を有する。
【００３３】
第１素子４１２と第２素子４１４は、ともに、導電性の材料で構成される。導電性の材料としては、例えば、導電性ゴムや導電性プラスチック等が用いられる。第１素子４１２には、電線を埋め込むようにしても良い。
【００３４】
第２素子４１４は可撓性を有し、異物が当接したときに変形して第１素子４１２に接触し得るようになっている。変形等による接触がない状態では、第１素子４１２と第２素子４１４は絶縁状態にある。
【００３５】
図４に、ボデー１１０におけるウェザストリップ４００の取付状態を模式的に示す。ただし、スライドドア２００は図示を省略する。図４に示すように、ウェザストリップ４００は、オープニング３００の内周に沿ってリングを形成する。
【００３６】
リング状のウェザストリップ４００の中で、接触センサ４１０は、一箇所が欠けたリングを形成し、両端Ａ，Ｂが、リングの下部の中央において互いに対向するようになっている。
【００３７】
両端Ａ，Ｂのうちのどちらか一方または双方から見た第１素子４１２と第２素子４１４間の抵抗は、接触センサ４１０の全長にわたってどこにも異物が接触せず、第２素子４１４が第１素子４１２に接触しないときは、絶縁抵抗値となる。これに対して、接触センサ４１０のどこかに異物が接触し、第２素子４１４が第１素子４１２に接触したときは、接触点までの距離に応じた抵抗となる。このような抵抗変化が、異物の接触検知に利用される。
【００３８】
接触位置検知用の閾値として、接触センサ４１０の全長の半分に相当する抵抗値ＴＨを設定すれば、それを基準として、接触位置がオープニング３００の前側部分か後側部分かを検知することができる。
【００３９】
接触位置検知用の閾値は、図５に示すように、２つの閾値ＴＨ１，ＴＨ２を設定しても良い。閾値ＴＨ１は、接触センサ４１０の一端Ａからオープニング３００の上側部分の前端付近までの長さに相当する抵抗値であり、閾値ＴＨ２は、接触センサ４１０の一端Ａからオープニング３００の上側部分の後端付近までの長さに相当する抵抗値である。このような閾値ＴＨ１，ＴＨ２を用いれば、接触位置がオープニング３００の前側部分か上側部分が後側部分かを検知することができる。
【００４０】
接触位置が前側か後側かを検知するだけで良いときは、図６に示すように、接触センサ４１０を２つの接触センサ４１０ａ，４１０ｂに分割し、接触センサ４１０ａで、オープニング３００の前側部分における接触を検知し、接触センサ４１０ｂで、オープニング３００の後側部分における接触を検知するようにしても良い。
【００４１】
その場合、接触センサ４１０ａ，４１０ｂは、図７に示すように、取付部材４０２の先端の中空部４０６に、感圧センサ４２０を挿入したものとすることができる。なお、接触センサ４１０ａ，４１０ｂは、抵抗方式や感圧方式に限らず、静電容量方式等のものであって良い。
【００４２】
図８に、スライドドア２００の作動状態を模式的に示す。図８に示すように、スライドドア２００は、レール１１６に沿った係合部材２０４の動きに規制されて作動する。すなわち、スライドドア２００は、レール１１６の斜め部Ｄにおける係合部材２０４の移動に規制された斜め移動によって、オープニング３００への進入と退出を行い、レール１１６の主体部Ｃにおける係合部材２０４の移動に規制されたボデーに対する平行移動によって、オープニング３００の開閉を行う。以下、レール１１６の主体部Ｃを一般部ともいい、斜め部Ｄを閉じきり部ともいう。
【００４３】
このような移動の全行程を通じて、スライドドア２００の現在位置が、図示しないポジションセンサによって検知される。ポジションセンサは、例えば、駆動用モータの回転軸に取り付けられたエンコーダと、その出力信号をデコードするデコーダによって構成される。
【００４４】
図９に、開き始めのスライドドア２００の作動状態を示す。図９に矢印で示すように、スライドドア２００は、後ろ斜め方向（図における右上がり方向）に移動してオープニング３００から出てゆく。
【００４５】
図１０に、閉じきり寸前のスライドドア２００の作動状態を示す。図１０に矢印で示すように、スライドドア２００は、前斜め方向（図における左下がり方向）に移動してオープニング３００に嵌まり込む。
【００４６】
図１１に、スライドドア制御系のブロック図を示す。図１１に示すように、スライドドア制御系は、制御部８００を有する。制御部８００には、ポジションセンサ８０２が検知したスライドドアの現在位置と、ポジションセンサ８０２の出力信号の変化に基づいて方向判定部８０４が判定したスライドドアの作動方向と、接触センサ４１０の出力信号に基づいて位置判定部８０６が判定した異物の接触位置が入力される。制御部８００には、開閉スイッチ８０８を通じてユーザーの開閉指令も入力される。
【００４７】
制御部８００は、ユーザーの開閉指令、スライドドアの現在位置と作動方向および異物の接触位置に基づいて、スライドドアの動力源８１０を制御する。動力源８１０としては、例えばモータ等が用いられる。なお、動力源８１０は、モータに限らず例えば油圧、空気圧または電気式のシリンダ等、適宜の動力源であって良い。
【００４８】
制御部８００は、例えば、マイクロコンピュータ等で構成される。方向判定部８０４による作動方向の判定および位置判定部８０６による接触位置の判定も、制御部８００の機能の一部として、マイクロコンピュータ等により行われる。
【００４９】
ポジションセンサ８０２は、本発明における位置検知手段の一例である。方向判定部８０４は、本発明における方向判定手段の一例である。なお、現在位置検知や方向判定は、モータの回転に伴い発生するパルスを利用した周知の技術を利用しても良い。接触センサ４１０は、本発明における接触センサの一例である。位置判定部８０６は、本発明における位置判定手段の一例である。制御部８００は、本発明における制御手段の一例である。
【００５０】
図１２に、スライドドアの開作動制御のフロー図を示す。図１２に示すように、ステップ１１で、スライドドアの開作動を開始する。スライドドアの開作動は、ユーザーによる開閉スイッチ８０８の操作に基づいて行われる。
【００５１】
ステップ１２で、接触を検知したか否かを判断する。接触を検知しないときは、接触検知判断を繰り返し、接触を検知したときは、ステップ１３で、接触位置が前側か後側かを判定する。
【００５２】
接触位置が前側のときは、ステップ１４で、開作動を継続する。開作動時には、図９に示したように、スライドドア２００の後方への移動により、ドアトリム２０２の前側がオープニング３００の前側から離れてゆく。このため、オープニング３００の前側で異物接触が検知されても、挟み込みが発生するおそれはない。したがって、開作動を継続しても差し支えがない。このようにして、接触検知にもかかわらず、開作動を止めることなく円滑に行うことができる。
【００５３】
接触位置が後側のときは、ステップ１５で、停止または反転を行う。開作動時には、スライドドア２００の後方への移動により、ドアトリム２０２の後側がオープニング３００の後側に近づいてゆく。このため、オープニング３００の後側で異物接触が検知されたときは、挟み込みまたは巻き込みが発生するおそれがある。そこで、開作動を停止または反転させる。このようにして、挟み込みや巻き込みを防止することができる。
【００５４】
図１３に、スライドドア閉作動制御のフロー図を示す。図１３に示すように、ステップ２１で、スライドドアの閉作動を閉始する。スライドドアの閉作動は、ユーザーによる開閉スイッチ８０８の操作に基づいて行われる。
【００５５】
ステップ２２で、接触を検知したか否かを判断する。接触を検知しないときは、接触検知判断を繰り返し、接触を検知したときは、ステップ２３で、接触位置が前側か後側かを判定する。
【００５６】
接触位置が前側のときは、ステップ２４で、停止または反転を行う。閉作動時には、図１０に示したように、スライドドア２００の前方への移動により、ドアトリム２０２の前側がオープニング３００の前側に近づいてゆく。このため、オープニング３００の前側で異物接触が検知されたときは、挟み込みが発生するおそれがある。そこで、閉作動を停止または反転させる。このようにして、挟み込みを防止することができる。
【００５７】
接触位置が後側のときは、ステップ２５で、現在位置が一般部か閉じきり部かを判断する。現在位置が一般部のときは、ステップ２６で、閉作動を継続する。現在位置が一般部であるときは、スライドドア２００はまだオープニング３００に入り込んでいない。このため、オープニング３００の後側で異物接触が検知されても、挟み込みが発生するおそれはない。したがって、閉作動を継続しても差し支えがない。このようにして、接触検知にもかかわらず、閉作動を止めることなく円滑に行うことができる。
【００５８】
現在位置が閉じきり部のときは、ステップ２７で、停止または反転を行う。現在位置が閉じきり部であるときは、スライドドア２００がオープニング３００に入り込んでいる。このため、オープニング３００の後側で異物接触が検知されたときは、ドアトリム２０２の後側による挟み込みが発生するおそれがある。そこで、閉作動を停止または反転させる。このようにして、挟み込みを防止することができる。
【００５９】
図１４に、以上のような開閉制御のパターンを一覧表によって示す。図１４に示すように、スライドドアの現在位置、作動方向および異物の接触位置の組合せに基づいて、スライドドアの作動の継続、停止または方向反転のいずれかが行われる。
【００６０】
異物接触検知を上側でも行うときの制御パターンは、図１５に示すようになる。図１５に示すように、開作動時に上側接触を検知したときは、前側接触検知の場合と同様に、開作動継続を行う。これに対して、閉作動においては、スライドドアが一般部にあるときは、後側接触検知の場合と同様に閉作動継続を行い、閉じきり部にあるときは、前側接触検知および後側接触検知の場合と同様に、停止または反転を行う。
【００６１】
以上、発明を実施するための最良の形態として車両用のパワースライドドアを例示したが、本発明のパワースライドドアは、車両用に限らず、船舶や航空機等用のパワースライドドア、あるいは、屋内や屋外で使用されるパワースライドドア等、適宜の用途のパワースライドドアであって良い。
【図面の簡単な説明】
【００６２】
【図１】発明を実施するための最良の形態の一例のパワースライドドアを装備した車両の外観を示す図である。
【図２】スライドドアとドアオープニングの構成を示す図である。
【図３】ウェザストリップの詳細な構成を示す図である。
【図４】ボデーにおけるウェザストリップの取付状態と、接触位置検知用の閾値設定を示す図である。
【図５】ボデーにおけるウェザストリップの取付状態と、接触位置検知用の閾値設定を示す図である。
【図６】２つの接触センサの配置を示す図である。
【図７】ウェザストリップの詳細な構成を示す図である。
【図８】スライドドアの作動状態を模式的に示す図である。
【図９】スライドドアの開作動状態を模式的に示す図である。
【図１０】スライドドアの閉作動状態を模式的に示す図である。
【図１１】スライドドア制御系のブロック図である。
【図１２】スライドドアの開作動制御のフロー図である。
【図１３】スライドドアの閉作動制御のフロー図である。
【図１４】開閉制御のパターンを一覧表によって示す図である。
【図１５】開閉制御のパターンを一覧表によって示す図である。
【符号の説明】
【００６３】
１００ ： 車両
１１０ ： ボデー
１１２，１１４，１１６ ： ガイドレール
１１８ ： ソケット
１２０ ： センタピラー
２００ ： パワースライドドア
２０２ ： ドアトリム
２０４ ： 係合部材
２０６ ： ボス
３００ ： ドアオープニング
３０２ ： オープニングフランジ
４００ ： ウェザストリップ
４０２ ： 取付部材
４０４ ： シール部材
４０６ ： 中空部
４１０，４１０ａ，４１０ｂ ： 接触センサ
４１２ ： 第１素子
４１４ ： 第２素子
４２０ ： 感圧センサ
８００ ： 制御部
８０２ ： ポジションセンサ
８０４ ： 方向判定部
８０６ ： 位置判定部
８０８ ： 開閉スイッチ
８１０ ： 動力源 
【図１】
0005112826.tif 000002
【図２】
0005112826.tif 000003
【図３】
0005112826.tif 000004
【図４】
0005112826.tif 000005
【図５】
0005112826.tif 000006
【図６】
0005112826.tif 000007
【図７】
0005112826.tif 000008
【図８】
0005112826.tif 000009
【図９】
0005112826.tif 000010
【図１０】
0005112826.tif 000011
【図１１】
0005112826.tif 000012
【図１２】
0005112826.tif 000013
【図１３】
0005112826.tif 000014
【図１４】
0005112826.tif 000015
【図１５】
0005112826.tif 000016